(57)【要約】【課題】  フレームの両側縦枠の少なくとも表裏一側面にパネル板を着脱可能に取付けてなる間仕切パネルを複数連結し、若しくは所定間隔を隔てて立設した一対の支柱の少なくとも表裏一側面にパネル板を着脱可能に取付けてなる間仕切パネルを該支柱を介して複数連結した間仕切装置において、パネル板２は、背面側に横方向に連続した空間部２４を有するとともに、両側端面に空間部に連通する切欠部３１を形成し、切欠部にコード挿通部３２を有する端部キャップ６を装着してなる。【解決手段】  フレームの縦枠若しくは支柱に凹部を形成するなどの加工を一切施さず、パネル板のみの工夫によって間仕切パネル間にわたって配線が可能な配線機能を備えた間仕切装置を提供する。【選択図】        図３
2005139759.tif 000002
【特許請求の範囲】
【請求項１】
フレームの両側縦枠の少なくとも表裏一側面にパネル板を着脱可能に取付けてなる間仕切パネルを複数連結し、若しくは所定間隔を隔てて立設した一対の支柱の少なくとも表裏一側面にパネル板を着脱可能に取付けてなる間仕切パネルを該支柱を介して複数連結した間仕切装置において、前記パネル板は、背面側に横方向に連続した空間部を有するとともに、両側端面に前記空間部に連通する切欠部を形成し、該切欠部にコード挿通部を有する端部キャップを装着してなることを特徴とする配線機能を備えた間仕切装置。
【請求項２】
前記パネル板は、スチール製の表面板の背面側周囲に縁部を形成し、両側縁部の上下中間部に前記切欠部を形成し、該切欠部に前記端部キャップを嵌着してなる請求項１記載の配線機能を備えた間仕切装置。
【請求項３】
前記端部キャップは、背面側に解放した断面略Ｃ字形のコード受けを上下に少なくとも二つ並設し、該コード受けの端部が前記コード挿通部となっている請求項１又は２記載の配線機能を備えた間仕切装置。
【請求項４】
前記端部キャップは、上下端に前記パネル板の側縁部の切欠端に抜止め係合する爪部を突設するとともに、前記パネル板の表面板の切欠端を外覆する保護部を前記コード挿通部に沿って形成してなる請求項１〜３何れかに記載の配線機能を備えた間仕切装置。
【発明の詳細な説明】
【技術分野】
【０００１】
本発明は、配線機能を備えた間仕切装置に係わり、更に詳しくは複数の間仕切パネル間にわたって配線が可能な配線機能を備えた間仕切装置に関するものである。
【背景技術】
【０００２】
通常、間仕切パネルを複数連結して構成した間仕切装置として、所定間隔毎に支柱を立設し、該支柱を介在させて表裏パネル板が予め一体となった間仕切パネルの側端部を嵌合係止して連結する構造のもの（支柱介在型）、両側の縦枠と上下の横枠とで形成したフレームの表裏両側に着脱可能にパネル板を取付けた複数の間仕切パネルを、隣接する縦枠同士を連結する構造のもの（直接連結型）が提供されている。
【０００３】
前述の支柱介在型の間仕切装置では、複数の間仕切パネル間にわたって配線をする場合、主に巾木の部分で配線する構造が一般的であるが、表裏パネル板が一体的であるので、間仕切パネルの内部を通して上方へ配線することは困難である。そのため、支柱部分の縦目地部を利用して配線することもあるが、それでは外観性を損なうことになる。更に、間仕切装置に接近して机やテーブルを配置する場合、その天板に載置したパソコン等の電子機器に、パネル板の中央部から最短距離で配線することができないといった不都合を有していた。
【０００４】
そこで、本出願人の先願に係る特許文献１に記載された配線機能を備えた間仕切装置では、直接連結型の間仕切装置において、各間仕切パネルの縦枠の少なくとも表裏一側の同一高さ位置に、両側に連通した凹部を形成し、該凹部と前記パネル板とで形成した電線挿通孔が、隣接する間仕切パネルの電線挿通孔と連通するように構成し、隣接する両間仕切パネルにわたって電線を配線することができるようにしている。
【０００５】
しかし、前述の特許文献１に記載されたものは、間仕切パネルの表裏方向の厚さ、即ち縦枠の奥行幅が十分に大きくないと、該縦枠に前述の凹部を形成することが困難になり、奥行幅の小さい縦枠に敢えて凹部を形成すると強度が不足するといった問題が発生する。また、前記縦枠に凹部を形成する場合、その位置が予め固定されるので、配線できる位置も固定的である。このようなフレームにパネル板を着脱可能に取付ける場合の利点として、上下幅の狭いパネル板を複数用意し、その少なくとも一枚を前面への配線引出し部を設けた配線パネル板とし、それらをフレームに取付けて配線を容易にすることが挙げられるが、前記凹部の高さ位置が固定されると、配線パネル板の取付高さもそれに応じて決まってしまい、配線パネル板を希望の高さに取付けたり、変更することができなくなる。
【特許文献１】特許第２８６１８３９号公報
【発明の開示】
【発明が解決しようとする課題】
【０００６】
そこで、本発明が前述の状況に鑑み、解決しようとするところは、フレームの縦枠若しくは支柱に凹部を形成するなどの加工を一切施さず、パネル板のみの工夫によって間仕切パネル間にわたって配線が可能な配線機能を備えた間仕切装置を提供する点にある。
【課題を解決するための手段】
【０００７】
本発明は、前述の課題解決のために、フレームの両側縦枠の少なくとも表裏一側面にパネル板を着脱可能に取付けてなる間仕切パネルを複数連結し、若しくは所定間隔を隔てて立設した一対の支柱の少なくとも表裏一側面にパネル板を着脱可能に取付けてなる間仕切パネルを該支柱を介して複数連結した間仕切装置において、前記パネル板は、背面側に横方向に連続した空間部を有するとともに、両側端面に前記空間部に連通する切欠部を形成し、該切欠部にコード挿通部を有する端部キャップを装着してなる配線機能を備えた間仕切装置を構成した（請求項１）。
【０００８】
ここで、前記パネル板は、スチール製の表面板の背面側周囲に縁部を形成し、両側縁部の上下中間部に前記切欠部を形成し、該切欠部に前記端部キャップを嵌着してなるものである（請求項２）。
【０００９】
そして、前記端部キャップは、背面側に解放した断面略Ｃ字形のコード受けを上下に少なくとも二つ並設し、該コード受けの端部が前記コード挿通部となっている（請求項３）。
【００１０】
更に、前記端部キャップは、上下端に前記パネル板の側縁部の切欠端に抜止め係合する爪部を突設するとともに、前記パネル板の表面板の切欠端を外覆する保護部を前記コード挿通部に沿って形成している（請求項４）。
【発明の効果】
【００１１】
以上にしてなる請求項１に係る発明の配線機能を備えた間仕切装置は、フレームの縦枠若しくは支柱に凹部を形成するなどの加工を一切施さないので、間仕切パネルの厚さに対する制約が無くなり、厚さの薄い間仕切パネルを用いて構成される間仕切装置であっても、一方のパネル板の端部キャップのコード挿通部からコードを引き出し、隣接する他方のパネル板の端部キャップのコード挿通部から該パネル板の空間部内にコードを引き込むことによって、間仕切パネル間にわたって配線することができ、また、パネル板の取付ける位置の自由度も高いので、様々な要望に答えることができ、しかもパネル板は、背面側に横方向に連続した空間部を有するとともに、両側端面に前記空間部に連通する切欠部を形成し、該切欠部にコード挿通部を有する合成樹脂製の端部キャップを装着しただけの構成であるから構造が簡単且つ安価に提供することができるのである。
【００１２】
請求項２によれば、パネル板の背面の略全面に配線が可能な空間部が形成され、その空間部内では自由に配線することができる。
【００１３】
請求項３によれば、端部キャップの複数のコード受けにそれぞれ強電コードと弱電コードを分離状態で配線することができ、強電コードから弱電コードへ電磁ノイズが混入することを防止でき、そしてそれぞれのコードをコード挿通部から引き出し、又は引き込むことができる。
【００１４】
請求項４によれば、端部キャップをパネル板の切欠部に取付ける作業が簡単であるとともに、切欠部を形成したことによる切欠端を端部キャップで外覆することができるので、コードの傷付きを防止することができる。
【発明を実施するための最良の形態】
【００１５】
次に、本発明に係る配線機能を備えた間仕切装置を、添付図面に基づき詳細に説明する。図１及び図２は間仕切装置及びそれを構成する間仕切パネルの構造を示し、図３〜図７は本発明の詳細を示し、図中符号Ａは間仕切パネル、１はフレーム、２はパネル板、３は巾木、４は笠木、５は側カバー、６は端部キャップ、７は前部キャップをそれぞれ示している。本発明に係る間仕切装置は、複数の間仕切パネルＡ，…を直線状又はＬ字状、Ｔ字状、十文字状等に連結して構成したものである。
【００１６】
本実施形態の間仕切パネルＡは、前記フレーム１の表裏両面に上下に複数に分割したパネル板２,…を着脱可能に取付けるとともに、下端部の巾木３を取付け、上端には笠木４を取付け、更に端部に位置するフレーム１の側端には側カバー５を取付けた基本構造を有している。しかし、本発明は、所定間隔を隔てて立設した一対の支柱の少なくとも表裏一側面にパネル板を着脱可能に取付けてなる構造の間仕切パネルでも良く、その場合には支柱を介して複数連結して間仕切装置を構成する。
【００１７】
前記フレーム１は、図２に示すように、角パイプ状の両側縦枠８，８の上下端部間に上横枠９と下横枠１０をそれぞれ横設するとともに、上下中間部間に単又は複数の中横枠１１を横設したものである。また、前記縦枠８の表面中央部には上下方向に所定間隔を置いてパネル板２の係止用の開口１２，…を形成するとともに、側端縁に沿った上下方向にブラケット等のオプションを係止するための係止孔１３，…を一定間隔毎に形成している。複数の間仕切パネルＡ，…を連結して間仕切装置を構築する場合には、隣接する間仕切パネルＡ，Ａを構成する前記フレーム１，１の縦枠８，８同士を直接若しくは連結部材を介して連結するのである。
【００１８】
前記パネル板２は、図２及び図３に示すように、スチール製の表面板１４の背面側周囲に両側縁部１５，１５と上縁部１６及び下縁部１７を形成するとともに、背面側の四隅には取付台１８，…を固着し、該取付台１８にはそれぞれ四角形状の取付孔１９を形成してものであり、下方の取付台１８の取付孔１９に下向きフック２２を有する下部連結具２０を内嵌するとともに、上方の取付台１８の取付孔１９に係合爪２３を有する上部連結具２１を内嵌したものである。そして、前記フレーム１の両側の縦枠８，８に形成した上下左右の開口１２，…に、前記パネル板２の背面に突設したフック２２と係合爪２３を利用して着脱自在に取付けるものである。そして、前記パネル板２の背面側には、前記両側縁部１５，１５と上縁部１６及び下縁部１７とで囲まれた空間部２４が形成され、この空間部２４にはコードを収容し、自由に配線できるようになっている。
【００１９】
そして、前記パネル板２の背面側両側部の下部に前記下部連結具２０，２０を取付け、上部に前記上部連結具２１，２１を取付けた状態で、先ず前記パネル板２の前記下部連結具２０，２０の下向きフック２２，２２を下方の開口１２に挿入し、落とし込み係合させた後、前記上部連結具２１，２１の係合爪２３，２３を上方の開口１２に押し込むと、該開口１２の上方口縁に該係合爪２３を抜止め状態で弾性係合するのである。しかし、本発明では、パネル板２のフレーム１への取付構造には限定されず、少なくとも縦枠８，８の前面を覆うように、前面側から着脱可能となっていれば良い。
【００２０】
また、前記巾木３は、図２に示すように、スチール製で形成された巾木本体２５の両端部に、上下係合部２７，２７を一体形成した合成樹脂製の端部材２６を嵌着した構造であり、前記フレーム１の縦枠８，８の下端部に形成した上下の取付開口２８，２８に、前記上下係合部２７，２７を嵌合して取付けている。
【００２１】
そして、前記笠木４は、前記フレーム１の上横枠９に上方からネジ止めして取付け、また側カバー５も間仕切装置の端部に位置する間仕切パネルＡの前記フレーム１の縦枠８に側方からネジ止めして取付ける。尚、前記笠木４と側カバー５は同じアルミニウムの押出し型材を用いて構成している。
【００２２】
更に詳しくは、図１に示すように、前記パネル板２の両側端部には、端部キャップ６，６を取付けるとともに、下縁の二箇所には前部キャップ７，７を取付けており、前記端部キャップ６，６及び前部キャップ７，７からそれぞれコードＢを引き出したり、引き込んだりすることができるようになっている。尚、この配線機能を有するパネル板２は、上下幅を狭く設定し、間仕切装置に接近して設置した机又は図示したように前記フレーム１の係止孔１３，…を利用して嵌合係止したブラケット２９で天板３０を支持して組み付けた机の若干上方に沿って取付け、その他の部分は分割パネル板２Ａ，…を取付けて、前記パネル板２をあたかもダクトカバー若しくは点検パネルのような態様で使用している。つまり、前記天板３０の上面に載置したパソコン等の電子機器Ｄへの電源線（強電コードＢ１）やＬＡＮケーブル等の信号線（弱電コードＢ２）を前記前部キャップ７からパネル板２の背面側の空間部２４に引き込み、それから前記端部キャップ６から側方へ引き出して隣接する間仕切パネルＡのパネル板２の端部キャップ６から内部に引き込むことで、複数の間仕切パネルＡ，…にわたって配線することができるようになっている。
【００２３】
本発明は、図３〜図７に示すように、前記パネル板２のみを工夫することによって間仕切装置に配線機能を持たせたのであるが、勿論他の配線装置と組み合わせることも可能である。つまり、前記パネル板２は、背面側に横方向に連続した空間部２４を有するとともに、両側端面に前記空間部２４に連通する切欠部３１を形成し、該切欠部３１にコード挿通部３２，３２を有する合成樹脂製の端部キャップ６，６を装着したものである。
【００２４】
具体的には、前記パネル板２は、スチール製の表面板１４の背面側周囲に縁部１５，１６，１７を形成し、両側縁部１５，１５の上下中間部に前記切欠部３１を形成し、該切欠部３１に前記端部キャップ６を嵌着している。ここで、前記端部キャップ６は、背面側に解放した断面略Ｃ字形のコード受け３３，３３を上下に少なくとも二つ並設し、該コード受け３３の端部が前記コード挿通部３２となっている。そして、前記端部キャップ６は、上下端に前記パネル板２の側縁部１５の切欠端３１Ａ，３１Ａに抜止め係合する爪部３４，３４を突設するとともに、前記パネル板２の表面板１４の切欠端３１Ｂを外覆する保護部３５を前記コード挿通部３２に沿って形成している。
【００２５】
更に詳しくは、前記パネル板２は、図３〜図７に示すように、スチール製の表面板１４の両側縁を背面側へ断面略Ｌ字状となるように折曲して前記側縁部１５を形成し、表面板１４の上下縁を背面側へ断面略Ｊ字状となるように折曲して前記上縁部１６及び下縁部１７を形成している。そして、前記パネル板２の表面板１４の背面側四隅に前記取付台１８を前記側縁部１５の内方に嵌合させた状態でスポット溶接によって固定している。各取付台１８の取付孔１９には、前述の下部連結具２０と上部連結具２１を対応位置に取付けるのである。そして、前記パネル板２に固定した上下取付台１８，１８の間に相当する側縁部１５の中間部を切欠して前記切欠部３１を形成し、前記側縁部１５の端部は切欠端３１Ａとなり、前記表面板１４の端部は切欠端３１Ｂとなっている。
【００２６】
そして、前記端部キャップ６は、前記表面板１４の背面に当接する基板３６を有し、該基板３６の上下端に背面側へ向けて断面略Ｌ字状に端部分３７，３７を延設するとともに、前記基板３６の上下中間部に背面側へ向けて断面略Ｔ字状に区画部３８を延設し、該区画部３８と端部分３７との間の部分が前記コード受け３３となっている。前記区画部３８は、本実施形態では一つ設けたが、二つ以上設けても良い。そして、前記切欠端３１Ａに抜止め状態で係合する前記爪部３４は、前記端部分３７の外面側に突出状態で一体的に形成され、また前記切欠端３１Ｂを外覆する前記保護部３５は、前記基板３６に側縁に沿って一体的に形成されている。それにより、前記切欠部３１に端部キャップ６を側方から嵌合すると、前記爪部３４が切欠端３１Ａを乗り越えると同時に、前記保護部３５が切欠端３１Ｂに外嵌するので、簡単且つ確実に嵌着することができる。また、当該端部キャップ６は、上下対称形となっており、前記パネル板２の両側部に同じ部材を取付けることができるようにしている。尚、前記端部キャップ６は、合成樹脂製以外にもアルミダイキャスト製や鉄製とすることも可能である。
【００２７】
一方、前記前部キャップ７は、図３、図４及び図６に示すように、前記パネル板２の下縁部に形成した切欠部３９に嵌着する保持部材４０と該保持部材４０に対してスライド開閉する蓋部材４１とから構成されている。ここで、前記切欠部３９に対応する前記下縁部１７の端部は切欠端３９Ａとなり、前記表面板１４の端部は切欠端３９Ｂとなっている。
【００２８】
前記保持部材４０は、両端部の平行に向かい合ったレール部４２，４２間を連結板部４３で連結し、該連結板部４３には前記切欠部３９と相似形の解放部４４が形成されている。更に、前記両レール部４２，４２の外端面には前記下縁部１７の切欠端３９Ａに抜止め状態で係合する爪部４５，４５をそれぞれ突設するとともに、前記連結板部４３の解放部４４に沿って前記表面板１４の切欠端３９Ｂを外覆する保護部４６を形成している。
【００２９】
前記蓋部材４１は、前記保持部材４０の解放部４４の形状と同じ閉塞板部４７を形成するとともに、該閉塞板部４７の内方縁側に段落ち状にフランジ部４８を一体形成し、更に該フランジ部４８の背面側両側部に前記保持部材４０のレール部４２，４２にスライド可能に弾性摺動する脚ばね４９，４９を形成している。更に、前記蓋部材４１のフランジ部４８には、該蓋部材４１の閉塞板部４７が前記保持部材４０の解放部４４に係合した状態で、それ以上の下方移動を規制すべく、前記連結板部４３の縁部に係止する係止爪５０を形成するとともに、該蓋部材４１を押込みながら持ち上げて上方へスライド移動させて前記解放部４４の全開した際に、それ以上の上方移動を規制すべく、該蓋部材４１の背面側両側端部に突設した突片５１，５１が前記レール部４２，４２の一部を切り欠いて形成した当止部５２，５２に当止するようにしている。尚、前記蓋部材４１の表面側下縁には開閉操作時に指を掛ける突条５３を形成している。
【００３０】
このように、前記保持部材４０を前記パネル板２の切欠部３９に下方から嵌合すると、前記爪部４５，４５が切欠端３９Ａを乗り越えると同時に、前記保護部４６が切欠端３９Ｂを外覆して嵌着され、そして前記蓋部材４１を当該保持部材４０のレール部４２，４２間に挿入して取付け、もってパネル板２に前部キャップ７を設けるのである。
【００３１】
このように構成したパネル板２を前記フレーム１の所定高さ位置に着脱可能に取付ける。複数の間仕切パネルＡ，…を連結して間仕切装置を構築した場合に、各パネル板２，…の高さを一致させておけば、一方のパネル板２の端部キャップ６のコード挿通部３２から引き出したコードＢを隣接する他方のパネル板２の端部キャップ６のコード挿通部３２から内部に引き込むことにより、複数の間仕切パネルＡ，…にわたって配線することが可能となる。ここで、隣接する間仕切パネルＡ，Ａ間にわたって配線したコードＢは、両パネル板２，２間の目地部で露出することになるが、この目地部の間隔は狭く、しかも交差するだけであるので、目立つことはなく、外観性を損なうようなことはないのである。
【００３２】
次に、図８〜図１３に基づいて、複数の間仕切パネルＡ，…を連結する構造を説明する。複数の間仕切パネルＡ，…を直線状に連結する場合には、隣接するフレーム１，１の縦枠８，８を接合した状態で、互いを貫通したボルト部材とナット部材とで締結するので、その説明は省略する。ここでは、複数の間仕切パネルＡ，…をＬ字状、Ｔ字状、十文字状等に連結する場合を説明する。
【００３３】
図８及び図９は、間仕切パネルＡ，Ａを直角にＬ字状に連結する構造を示し、隣接するフレーム１，１をＬ字状に配置し、そのコーナー部の上下部に平面視略正方形の連結ブロック５４，５４を配し、それぞれのフレーム１，１の縦枠８，８を該連結ブロック５４の隣接する二面にボルト５５にて締結し、更にコーナー部を閉塞するコーナーカバー５６を、前記連結ブロック５４を利用して取付ける。
【００３４】
前記連結ブロック５４は、アルミニウムの押出し型材を適宜な長さに切断して形成したものであり、四つの側面のうち一面の連結面５７Ａは他の連結面５７Ｂ，５７Ｃ，５７Ｄよりも前記コーナーカバー５６の板厚分だけ突出した寸法に設定するとともに、該連結面５７の両側縁に前記縦枠８の受入れて位置決めするリブ５８，５８を突設している。そして、該連結面５７Ａ及び他の連結面５７Ｂ，５７Ｃ，５７Ｄの中央部には螺孔５９，…を形成している。更に、前記連結ブロック５４の四隅には、平面視略正方形の凹陥部６０を形成し、該凹陥部６０内には４５°傾斜した方向に先端が膨らんだ係合突起６１を形成している。
【００３５】
前記連結ブロック５４の連結面５７Ａに、一方の間仕切パネルＡの縦枠８を接合し、該縦枠８に形成した貫通孔６２に内方から挿通したボルト５５を前記螺孔５９に螺合して締結する。そして、前記連結ブロック５４の他の連結面５７Ｂには、前記コーナーカバー５６の板厚分だけの厚みを有するスペーサ部材６３を嵌着する。このスペーサ部材６３の両側縁には前記リブ５８，５８と同様なリブ６４，６４を突設している。そして、前記スペーサ部材６３に他の間仕切パネルＡの縦枠８を接合し、該縦枠８に形成した貫通孔６２とスペーサ部材６３の通孔６５に内方から挿通したボルト５５を前記螺孔５９に螺合して締結する。また、前記コーナーカバー５６は平面視略Ｌ字形を有し、両側縁に沿って形成した補強縁６６，６６に係止部６７をそれぞれ切欠形成し、対角位置にある前記係合突起６１，６１に係止して取付ける。前記コーナーカバー５６を取付けた状態では、前記補強縁６６によって、前記凹陥部６０は閉塞される。また、Ｌ字状連結した内側のコーナー部には、前記凹陥部６０を外覆する形状の目地カバー６８を、該目地カバー６８に形成した嵌合溝６９を対応する前記連結ブロック５４の係合突起６１に外嵌して取付ける。
【００３６】
このように２枚の間仕切パネルＡ，ＡをＬ字状に連結した場合、コーナー部の内側に位置する隣接するパネル板２，２間にわたってコードＢを配線する場合、前記端部キャップ６に対応する前記目地カバー６８を切り欠いてその部分にコードＢを通すのである。
【００３７】
図１０は、３枚の間仕切パネルＡ，…をＴ字状に連結した状態を示し、この場合、連結に使用しない連結面５７Ｄには、直線状の側面カバー７０を前記同様にして連結ブロック５４の係合突起６１を利用して取付ける。
【００３８】
図１１は、４枚の間仕切パネルＡ，…を十文字状に連結した状態を示し、この場合には、カバーは不要であり、各コーナー部の目地部には前記目地カバー６８，…を取付けている。
【００３９】
図１２及び図１３は、平面視略正三角形の連結ブロック７１を用いて複数の間仕切パネルＡ，…を連結する構造を示しているが、連結角度が前記連結ブロック５４を用いた場合と異なるだけで、その他の基本的な構成は同等であるから説明は省略する。ここでは相違点のみを簡単に説明する。図１２は、前記連結ブロック７１の連結面５７Ａと５７Ｂとを利用して約１２０°の角度に連結し、連結に使用しなかった連結面５７Ｃには両側縁の補強部６６，６６が約６０°に屈曲した側面カバー７２を取付けている。また、前記目地カバー６８は外形が三角形状となったものである。図１３は、前記連結ブロック７１のすべての連結面５７Ａ，５７Ｂ，５７Ｃに間仕切パネルＡ，…を連結したものである。
【図面の簡単な説明】
【００４０】
【図１】本発明に係る配線機能を備えた間仕切装置の全体斜視図である。
【図２】間仕切パネルの構造を示す分解斜視図である。
【図３】パネル板の要部の背面側から見た分解斜視図である。
【図４】パネル板の要部の前面側から見た分解斜視図である。
【図５】同じくパネル板の側面図である。
【図６】同じくパネル板の背面図である。
【図７】パネル板をフレームに取付けた状態の部分縦断面図である。
【図８】間仕切パネルの連結構造を示す分解斜視図である。
【図９】２枚の間仕切パネルをＬ字状に連結した状態の部分断面図である。
【図１０】３枚の間仕切パネルをＴ字状に連結した状態の部分断面図である。
【図１１】４枚の間仕切パネルを十文字状に連結した状態の部分断面図である。
【図１２】２枚の間仕切パネルを１２０°の角度で連結した状態の部分断面図である。
【図１３】３枚の間仕切パネルを１２０°の角度で連結した状態の部分断面図である。
【符号の説明】
【００４１】
１  フレーム          ２  パネル板
２Ａ  分割パネル板    ３  巾木
４  笠木              ５  側カバー
６  端部キャップ      ７  前部キャップ
８  縦枠              ９  上横枠
１０  下横枠          １１  中横枠
１２  開口            １３  係止孔
１４  表面板          １５  側縁部
１６  上縁部          １７  下縁部
１８  取付台          １９  取付孔
２０  下部連結具      ２１  上部連結具
２２  下向きフック    ２３  係合爪
２４  空間部          ２５  巾木本体
２６  端部材          ２７  係合部
２８  取付開口        ２９  ブラケット
３０  天板            ３１  切欠部
３１Ａ  切欠端        ３１Ｂ  切欠端
３２  コード挿通部    ３４  爪部
３５  保護部          ３６  基板
３７  端部分          ３８  区画部
３９  切欠部          ３９Ａ  切欠端
３９Ｂ  切欠端        ４０  保持部材
４１  蓋部材          ４２  レール部
４３  連結板部        ４４  解放部
４５  爪部            ４６  保護部
４７  閉塞板部        ４８  フランジ部
４９  脚ばね          ５０  係止爪
５１  突片            ５２  当止部
５３  突条            ５４  連結ブロック
５５  ボルト          ５６  コーナーカバー
５７Ａ，５７Ｂ，５７Ｃ，５７Ｄ  連結面
５８  リブ            ５９  螺孔
６０  凹陥部          ６１  係合突起
６２  貫通孔          ６３  スペーサ部材
６４  リブ            ６５  通孔
６６  補強縁          ６７  係止部
６９  嵌合溝          ７０  側面カバー
７１  連結ブロック    ７２  側面カバー
Ａ  間仕切パネル      Ｂ  コード
Ｂ１  強電コード      Ｂ２  弱電コード
【図１】
2005139759.tif 000003
【図２】
2005139759.tif 000004
【図３】
2005139759.tif 000005
【図４】
2005139759.tif 000006
【図５】
2005139759.tif 000007
【図６】
2005139759.tif 000008
【図７】
2005139759.tif 000009
【図８】
2005139759.tif 000010
【図９】
2005139759.tif 000011
【図１０】
2005139759.tif 000012
【図１１】
2005139759.tif 000013
【図１２】
2005139759.tif 000014
【図１３】
2005139759.tif 000015